(57)【要約】【課題】スライディングドアやスライディングサッシ等の障子開閉する際、蓄積したエネルギーにより障子を竪枠側に引き込むようにした引き込み装置において、引き込み力を障子の移動の途中で変化できるようにした引き込み装置を提供する。【解決手段】障子６を開放する際、エネルギーを蓄積し、閉鎖する際このエネルギーを消費して障子を引き込む。このエネルギー蓄積装置は、ねじ部４３を有するスパイラルロッド４４とトーションばね４５を有する。このスパイラルロッドは、障子を開く際ケース４１から引き出され、障子を閉める際ケースに引き込まれる。スパイラルロッドのねじ部のリードは、ケースからの引き出し始めの区帯のリードが小さく、引き出し終わりの区帯が大きくなるよう途中から変化している。【選択図】図２
2014201976.tif 000002
【特許請求の範囲】
【請求項１】
引き込み装置本体とドッグを有し、該引き込み装置本体とドッグのいずれか一方の部材を枠体若しくは該枠体で囲まれた開口部内をスライド開閉する障子に設け、他方の部材を上記障子若しくは枠体に設け、上記引き込み装置本体には上記ドッグに係合可能で障子の開閉方向に移動可能かつ転倒可能なクラッチカムと、該クラッチカムが上記ドッグに係合して障子が枠体の竪枠から離れる方向に移動し該クラッチカムが転倒してドッグとの係合が外れる位置までエネルギーを蓄積するエネルギー蓄積装置を有し、該障子が枠体の竪枠に近づく方向に移動してクラッチカムがドッグに係合すると蓄積された上記エネルギーを消費して障子を枠体の竪枠方向に引き込むようにした引き込み装置において、上記エネルギー蓄積装置は障子の引き込み始めの段階では弱い引き込み力であり、障子が竪枠に近接した段階では初期の引き込み力より大きな引き込み力を生じるよう障子の移動の途中で引き込み力を変化させたことを特徴とする引き込み装置。
【請求項２】
上記引き込み装置本体は、障子の開閉方向に移動可能でかつ上記クラッチカムを転倒可能に組み込んだスライダーを具備する請求項１に記載の引き込み装置。
【請求項３】
上記エネルギー蓄積装置は、ねじ部を有するスパイラルロッドの直進動により回転ガイドを回転させてトーションばねを巻き込み若しくはトーションばねの巻き戻しにより回転ガイドを回転してスパイラルロッドを直進動させるスパイラルロッド機構であり、該スパイラルロッドをクラッチカムに連結し、該スパイラルロッドのねじ部のリードを変えることにより障子を引き込み始める段階ではスパイラルロッドを直進動させる力は弱い力であり、障子が竪枠に近接した段階では引き込み始めの段階より大きな力でスパイラルロッドを直進動させて障子を引き込むようにしたことを特徴とする請求項１または２に記載の引き込み装置。
【請求項４】
上記トーションばねは、障子が竪枠に当接しているとき該障子を竪枠に押し付けるよう余巻きしてある請求項３に記載の引き込み装置。
【請求項５】
上記スパイラルロッド機構は、筒状のケースと、該ケースの先端側に回転可能に設けられスリットを有する筒状の回転ガイドと、該回転ガイドのスリットに螺合状態で貫通するねじ部を有し上記ケースから引出可能に設けられたスパイラルロッドと、該スパイラルロッドの外周に嵌挿され一端をケースの基端に連結し他端を上記回転ガイドに連結したトーションばねを具備し、該スパイラルロッドは障子が竪枠に当接している状態でケース内に引き込まれており、障子が竪枠から離れる方向に移動するときケースから引き出されるよう上記クラッチカムに連結され、該スパイラルロッドのねじ部のリードはケースからの引き出し始めの始端区帯のリードが小さく形成され引き出し終わりの終端区帯のリードが始端区帯のリードよりも大きく形成されていることを特徴とする請求項３または４に記載の引き込み装置。
【請求項６】
上記引き込み装置本体は、上記スライダーの移動を案内するよう本体内に設けたガイドを有し、上記クラッチカムは該スライダーに転倒可能に枢着されかつクラッチカムを起立状態に保持するよう上記ガイドに沿って摺動するカム軸を有し、上記ガイドにはカム軸を陥入させてクラッチカムを転倒状態に係止する戻り防止溝が形成され、上記スライダーにスパイラルロッドの先端を連結した請求項２から５のいずれかに記載の引き込み装置。
【請求項７】
上記障子の移動を制動するよう上記スライダーにラックギアを設けるとともに該ラックギアに係合するピニオンギアを有する制動装置を設け、上記スパイラルロッドの始端区帯はラックギアとピニオンギアの係合が外れて障子が竪枠方向に移動する区帯にわたって設けられている請求項６に記載の引き込み装置。
【請求項８】
上記ラックギアはスライダーに設けたラック板に形成され、該ラック板の長さは、障子が竪枠に当接する前にピニオンギアとの係合が外れる長さである請求項７に記載の引き込み装置。
【請求項９】
上記請求項１〜８のいずれかの引き込み装置を備えた引戸サッシ。
【発明の詳細な説明】
【技術分野】
【０００１】
本発明は、スライディングドア、スライディングサッシ等(以下引戸サッシという)の障子を開閉する際、閉鎖位置若しくは全開位置に近接した障子を自動的に枠体の竪枠側に引き込むようにした引き込み装置に関する。
【背景技術】
【０００２】
引戸サッシの障子を閉鎖位置若しくは全開位置に近づいたとき自動的に枠体の竪枠側に引き込むようにした引戸の引き込み装置が知られている(例えば特許文献１、２参照)。この引き込み装置は、障子を枠体の竪枠から離れる方向、例えば障子を開く方向に移動させる際、引き込み装置本体にエネルギーを蓄積し、閉鎖するとき枠体の竪枠に近づいた段階で上記エネルギーを障子に作用させて竪枠側に引き込むものである。具体的には、例えば特許文献１に示すように、引き込み装置は、係合手段(引き込み装置本体)と、フック体(ドッグ)を具備し、いずれか一方の部材を障子の上框上部に取り付け、他方の部材を枠体の上枠下部に取り付ける。係合手段には鉤部を有する係止体(クラッチカム)が障子の開閉方向に移動可能にかつ転倒可能に設けられ、該係止体と係合手段の本体間にばねが張設されている。障子の閉鎖時に引き込み装置を作用させる形式の場合を一例として説明すると、障子の閉鎖状態で係止体は起立していて鉤部にフック部が係合している。障子を開放方向に移動するとき、最初の段階では、係止体とフック部は係合しているので、障子の開放方向への移動にともなって該係止体は相対的に障子の閉鎖位置方向に移動する。その結果、本体と係止体の間に設けた上記ばねは伸ばされる。そして、所定の位置まで係止体が移動した段階で、該係止体は転倒しフック部との係合が外れるとともに係止体はその位置に拘束されるので、上記ばねは伸長状態で保持され、ばねにエネルギーが蓄積される。また、上記障子は係止体の鉤部とフック部の係合が外れたことにより自由になり、障子を全開位置まで移動することができる。障子を開放位置から閉鎖方向に移動させると、移動の途中で係止体の鉤部にフック部が当接して係止体は起立状態に回動され、フック部と係止体が係合する。その結果、上記ばねは縮み始めるから、該ばねに蓄積されたエネルギーにより障子は枠体の竪枠方向に引き寄せられ、竪枠に当接する。
【０００３】
上記のように障子の開閉にともなってばねをエネルギー蓄積装置としてエネルギーを蓄積し、エネルギーを開放することにより障子を自動的に引き込むことができるが、通常上記ばねとして使用されているのは、引張コイルばねや圧縮コイルばねであるので、問題がある。すなわち、引張コイルばねや圧縮コイルばねは、荷重と変形量が比例関係にあるため、伸びや縮みの変形量が大きくなると直線的に荷重は大きくなる。この関係を、引張コイルばねを用いた引き込み装置により障子の閉鎖時に引き込み力を生じさせる場合について考察すると、障子を開くとき(エネルギーを蓄積するとき)、障子の開き始めはばねの伸び(変形量)が小さいので障子を移動させるための開き力は小さいが、係止体からフック部が外れる時点では、ばねは充分に伸ばされているので変形量は大きくなり、障子の移動に大きな開き力を必要とすることとなる。逆に、障子を閉めるとき(蓄積したエネルギーを消費するとき)は、係止体がフック部に係合して係止体が相対的に移動可能な位置まで障子が移動すると、障子に引き込み力が付与され自閉し始め、このときに一番大きな閉まり力(引き込み力)が発生する。そのため、従来の装置では障子の引き込み始めの閉まり速度が速くなり、大きな制動力を効かさないと障子が急激的に移動して障子と竪枠間に身体の一部が挟まれて怪我をする危険性がある。さらに、障子と竪枠の接触構造は、断熱や消音の目的上、障子を竪枠に密閉させる構成になっていることが多いが、上記のような通常の構成のばねの場合には、閉鎖位置近くではばねが収縮していて閉まり力(引き込み力)が弱くなってしまうから、確実に障子が閉まりきらない事態を招来しやすい。
【０００４】
以上のように、従来の引き込み装置では、引張ばねや圧縮ばねをエネルギーの蓄積機構として利用しているため、障子の閉まり始めは、本来小さな閉まり力(引き込み力)でよいのに、大きな閉まり力が発生し、障子が竪枠に接するときは、大きな閉まり力(引き込み力)が必要なのに、小さな閉まり力しか発生させることができない、とういう問題点がある。なお、従来特許文献１に示すようにばねの張力調整機構は知られているが、この調整機構はばね全体の張力を調整するものであって、障子の移動過程の途中から引き込み力を可変するものではない。また、特許文献２に示すように、障子の閉鎖位置近くにダンパーを設けて障子の移動速度を減速させる機構も知られているが、この機構では障子が竪枠に接する際には一層引き込み力が小さくなって障子を竪枠に密着させることができない。
【先行技術文献】
【特許文献】
【０００５】
【特許文献１】特許第３９２９１６３号公報（請求項１、段落００２７、００３１、図面）
【特許文献２】特許第４０３９６７１号公報（請求項１、図面）
【発明の概要】
【発明が解決しようとする課題】
【０００６】
本発明は、上記のように、障子を引き込み力により移動させる際、移動の初期段階と最終段階で障子に作用する引き込み力を途中で変化させることができるようにした引戸サッシの引き込み装置を提供することである。
なお、上述したように引き込み装置は、引き込み力を閉まり力として利用して障子を閉鎖する場合だけでなく、引き込み力を開き力として作用させて障子を開放するときにも使用することができるので、本発明はいずれの場合にも使用できる装置を目的としている。
【課題を解決するための手段】
【０００７】
本発明によれば、引き込み装置本体とドッグを有し、該引き込み装置本体とドッグのいずれか一方の部材を枠体若しくは該枠体で囲まれた開口部内をスライド開閉する障子に設け、他方の部材を上記障子若しくは枠体に設け、上記引き込み装置本体には上記ドックに係合可能で障子の開閉方向に移動可能かつ転倒可能なクラッチカムと、該クラッチカムが上記ドッグに係合して障子が枠体の竪枠から離れる方向に移動し該クラッチカムが転倒してドッグとの係合が外れる位置までエネルギーを蓄積するエネルギー蓄積装置を有し、該障子が枠体の竪枠に近づく方向に移動してクラッチカムがドッグに係合すると蓄積された上記エネルギーを消費して障子を枠体の竪枠方向に引き込むようにした引き込み装置において、上記エネルギー蓄積装置は障子の引き込み始めの段階では弱い引き込み力であり、障子が竪枠に近接した段階では初期の引き込み力より大きな引き込み力を生じるよう障子の移動の途中で引き込み力を変化させたことを特徴とする引き込み装置が提供される。
【０００８】
さらに本発明によれば、上記エネルギー蓄積装置は、ねじ部を有するスパイラルロッドの直進動により回転ガイドを回転させてトーションばねを巻き込み若しくはトーションばねの巻き戻しにより回転ガイドを回転してスパイラルロッドを直進動させるスパイラルロッド機構であり、該スパイラルロッドをクラッチカムに連結し、該スパイラルロッドのねじ部のリードを変えることにより障子を引き込み始め段階ではスパイラルロッドを直進動させる力は弱い力であり、障子が竪枠に近接した段階では引き込み始めの段階より大きな力でスパイラルロッドを直進動させて障子を引き込むようにしたことを特徴とする上記引き込み装置が提供される。
【０００９】
上記スパイラルロッド機構は、筒状のケースと、該ケースの先端側に回転可能に設けられスリットを有する筒状の回転ガイドと、該回転ガイドのスリットに螺合状態で貫通するねじ部を有し上記ケースから引出可能に設けられたスパイラルロッドと、該スパイラルロッドの外周に嵌挿され一端をケースの基端に連結し他端を上記回転ガイドに連結したトーションばねを具備し、該スパイラルロッドは障子が竪枠に当接している状態でケース内に引き込まれており、障子が竪枠から離れる方向に移動するときケースから引き出されるよう上記クラッチカムに連結され、該スパイラルロッドのねじ部のリードはケースからの引き出し始めの始端区帯のリードが小さく形成され引き出し終わりの終端区帯のリードが始端区帯のリードよりも大きく形成されていることを特徴とする上記引き込み装置が提供される。
【００１０】
また、本発明によれば、上記引き込み装置本体は、本体内に設けたガイドと、該ガイドに沿って障子の開閉方向に移動可能で上記クラッチカムを転倒可能に組み込んだスライダーを有し、上記クラッチカムは該スライダーに枢着されかつクラッチカムを起立状態に保持するよう上記ガイドに沿って摺動するカム軸を有し、上記ガイドにはカム軸を陥入させてクラッチカムを転倒状態に係止する戻り防止溝が形成され、上記スライダーにスパイラルロッドの先端を連結した上記引き込み装置が提供される。
【００１１】
さらに、上記引き込み装置本体にはスライダーの移動に制動力を付与する制動装置が設けられ、スライダーには該制動装置のピニオンギアに係合可能なラックギアが設けられ、上記スパイラルロッドの始端区帯は該ラックギアとピニオンギアの係合が外れて障子が竪枠側に移動する区帯にわたって設けられている上記引き込み装置が提供される。
【発明の効果】
【００１２】
本発明は上記のように構成され、引き込み装置本体とドッグを有し、該引き込み装置本体とドッグのいずれか一方の部材を枠体若しくは該枠体で囲まれた開口部内をスライド開閉する障子に設け、他方の部材を上記障子若しくは枠体に設け、上記引き込み装置本体には上記ドックに係合可能で障子の開閉方向に移動可能かつ転倒可能なクラッチカムと、該クラッチカムが上記ドッグに係合して障子が枠体の竪枠から離れる方向に移動し該クラッチカムが転倒してドッグとの係合が外れる位置までエネルギーを蓄積するエネルギー蓄積装置を有し、該障子が枠体の竪枠に近づく方向に移動してクラッチカムがドッグに係合すると蓄積された上記エネルギーを消費して障子を枠体の竪枠方向に引き込むようにした引き込み装置において、上記エネルギー蓄積装置は障子の引き込み始めの段階では弱い引き込み力であり、障子が竪枠に近接した段階では初期の引き込み力より大きな引き込み力を生じるよう障子の移動の途中で引き込み力を変化させたから、蓄積したエネルギーを消費することにより生じる引き込み力により障子を移動させる際、最初の段階では障子は弱い引き込み力で移動し、障子と竪枠間に身体等を挟み込むおそれがない。また、障子が竪枠に近接した段階では障子に大きな引き込み力が生じるので、障子を竪枠に密着させることができる。
【００１３】
また、上記エネルギー蓄積装置として、ねじ部を有するスパイラルロッドをケース内に出没可能に設け、該スパイラルロッドをケース内に引き込む際の直進動により回転ガイドを回転させてトーションばねを巻き込み、トーションばねの巻き戻しにより回転ガイドを回転してスパイラルロッドを直進動させてケースから引き出すようにしたスパイラルロッド機構を用い、該スパイラルロッドを、障子が竪枠に当接している状態でケース内に引き込まれ、障子が竪枠から離れる方向に移動するときケースから引き出されるよう上記クラッチカムに連結する。そして、該スパイラルロッドのねじ部のリードを変えることにより該スパイラルロッドをケースから引き出し始める始端区帯(スパイラルロッドをケース内に引き込み終わる区帯)ではリードを小さくしてスパイラルロッドを引き込む力を大きな力とし、スパイラルロッドをケースから引き出し終わる終端区帯(スパイラルロッドをケースに引き込み始める区帯)ではリードを始端区帯より大きくして始端区帯より小さな力でスパイラルロッドをケースから引き出すようにすると、リードを変えるとういう簡単な構成でケースから引き出されているスパイラルロッドをケースに引き込む際、最初の段階では障子に弱い引き込み力を与え、最後の段階では強い引き込み力を与えることができ、製作も容易である。
【００１４】
また、上記引き込み装置本体に、スパイラルロッドに連結され本体内に設けたガイドに沿って障子の開閉方向に移動可能なスライダーを設け、上記クラッチカムを該スライダーに転倒可能に枢着しかつクラッチカムを起立状態に保持するよう上記ガイドに沿って摺動するカム軸を設け、上記ガイドに該カム軸を陥入させてクラッチカムを転倒状態に係止する戻り防止溝を形成すると、引き込み装置本体の構成が簡単であり、経済的に得ることができる。さらに、上記引き込み装置本体に、障子の移動を制動する制動装置を設け、スライダーに該制動装置のピニオンギアに係合可能なラックが設けると、ラックがピニオンギアに噛み合っている間は障子の急激な移動を制動することができる。そして、該ラックとピニオンギアの係合が外れて障子が竪枠側に移動する区帯にわたってリードを小さくした上記スパイラルロッドの始端区帯を設けておくと、大きな引き込み力を障子に与えて該障子を竪枠に密着することができる。
【図面の簡単な説明】
【００１５】
【図１】枠体と障子の関係の一実施例を示し、(Ａ)は障子が開口部を閉鎖している状態、(Ｂ)は障子を移動して開口部を少し開いた状態、(Ｃ)は開口部を開放した状態の各説明図。
【図２】引き込み装置本体の一部の分解斜視図。
【図３】引き込み装置本体のケース等の一部を省いた平面図。
【図４】引き込み装置本体のケース等の一部を省いた正面図
【図５】引き込み装置本体の断面図。
【図６】スパイラルロッド機構の一部省略断面図。
【図７】スパイラルロッドの説明図。
【図８】障子が閉鎖位置にある状態の説明図。
【図９】図８に示す状態から障子を開き始めた状態の説明図。
【図１０】図９に示す状態からさらに障子を開放位置に向け移動した状態の説明図。
【図１１】クラッチカムが転倒してドッグとの係合が外れた状態の説明図。
【図１２】障子を図１１に示す状態からさらに開放位置に向けて移動した状態及び開放位置から閉鎖位置に向けて障子を移動した状態の説明図。
【図１３】クラッチカムがドッグに当接した状態の説明図。
【図１４】クラッチカムがドッグに係合し、制動装置が働いている状態の説明図。
【図１５】制動装置による制動が外れて障子が竪枠側に移動している状態の説明図。
【図１６】制動装置を具備しない引き込み装置本体の一部の分解斜視図。
【図１７】図１６に示す装置により障子が閉鎖位置にある状態の説明図。
【図１８】図１７に示す状態から障子を開き始めた状態の説明図。
【図１９】図１８に示す状態からさらに障子を開放位置に向け移動した状態の説明図。
【図２０】クラッチカムが転倒してドッグとの係合が外れた状態の説明図。
【図２１】障子を図２０に示す状態からさらに開放位置に向けて移動した状態及び開放位置から閉鎖位置に向けて障子を移動した状態の説明図。
【図２２】クラッチカムがドッグに当接した状態の説明図。
【図２３】クラッチカムがドッグに係合した状態の説明図。
【図２４】障子が竪枠に当接している状態の説明図。
【発明を実施するための形態】
【００１６】
本発明の引き込み装置は、障子が枠体の開口部内でスライド開閉する形式の引戸サッシ(各種のスライディングドアやスライディングサッシ等)に使用することができる。図１は、本発明を適用した引戸サッシの一実施例を示し、図において枠体１は、上枠２、竪枠３、下枠４により開口部５を形成してあり、この開口部内にスライド開閉可能に障子６が設けられている。そして、枠体１の上枠下面に先端を下方に突出して設けたドッグ７と、障子６の上框上部に設けた引き込み装置本体８により引き込み装置を構成している。なお、ドッグ７を障子６側に設け、引き込み装置本体８を枠体１側に設けてもよい。なお、下記に示す実施例は、障子６が枠体１の竪枠３に当接して開口部５を閉鎖するとき、引き込み装置により障子６を該竪枠３側に引き込む場合につき説明してあるが、開口部５を開放するとき図示していない反対側の竪枠に障子６を引き込ように本発明を適用することもできる。
【００１７】
図２〜図５を参照し、上記引き込み装置本体８は、障子６の開閉方向に沿って延びる横長のケース９と蓋１０により上面の一部が開放された略断面矩形状の収納空間を形成し、その内部に摺動面を上部に形成したガイド１１を設け、ケース９と蓋１０とガイド１１を案内として障子の開閉方向に摺動するようスライダー１２を設けてある。該スライダー１２は、略横長直方体状に形成され、一端側に差込溝１３を有する連結部１４を設けてある。該スライダーの側面の一部は開放され、クラッチカム収納部１５とラック板収納部１６を形成し、一側から他側に貫通して支持される固定軸１７を有し、クラッチカム収納部１５に面して弧状に延び下面が開放された切欠き溝１８が設けられている。ラック板収納部側の側面には、ラック板１９を固定するための取付孔２０を設けてある。
【００１８】
上記クラッチカム収納部１５に収納されるクラッチカム２１は、略Ｕ字状の鉤部２２を形成するよう対向状態に起立する一対の爪片２３を有し、上記スライダー１５の上記固定軸１７に回転可能に装着するための装着孔２４を形成し、かつ上記スライダー１２の切欠き溝１８に入り込むカム軸２５を具備している。この構成により、クラッチカム２１は、上記固定軸１７を中心として回動して転倒可能であり、スライダーの上記切欠き溝１８から抜け出したカム軸２５はガイド１１上を摺動可能である。
【００１９】
上記ラック板１９は、略平板状に形成され、上記スライダー１２の固定軸１７が挿入される取付孔２６と、取付ねじ２７を差し込んで上記スライダー１２の取付孔２０に締着するための締着孔２８を有し、下面にはラックギア２９が形成されている。該ラック板１９の長さは、障子６が竪枠３側に移動する際、移動の途中で制動装置３０のピニオンギア３１に噛み合い、該ピニオンギア３１とラックギア２９の噛み合いが外れても障子をさらに竪枠側に移動できるような長さにしてある。
【００２０】
上記ガイド１１は、略横長立方体状に形成され、上記スライダー１２の下面が摺動するスライダー摺動面３２と、ラック板１９の側面が摺動するラック板摺動面３３を有し、スライダー摺動面３２の一端側近くには、スライダー摺動面上を摺動してきた上記クラッチカム２１のカム軸２５が入り込む弧状の戻り防止溝３４が開口している。また、この戻り防止溝３４の側面には、カム軸２５が戻り防止溝３４に入り込んだときクラッチカム２１が転倒して逃げ込めるようクラッチカムの逃げ面３５が形成され、かつ制動装置３０を収納して固定するための取付面３６が形成されている。
【００２１】
上記制動装置３０は、制動軸３７の回転を油圧や空気圧等の流体圧を利用して制動することができる公知のロータリーダンパー等の制動装置を好適に使用することができる。そして、制動軸３７に設けたピニオンギア３１に上記ラック板１９のラックギア２９が噛み合うと、ラック板１９を固定したスライダー１２の移動は制動され、障子が急激に移動しないようにすることができる。なお、上記ピニオンギア３１とラックギア２９の噛み合いは、障子６が閉鎖位置に向け移動する際の途中の段階で機能し、開放位置に向けて移動する際には、ピニオンギア３１とラックギア２９が噛み合ってピニオンギア３１が回転しても一方向クラッチ(図示略)により制動機構が機能しないようにしてある。また、上述したように障子６を閉鎖する際、該ラックギア２９とピニオンギア３１との噛み合いは、障子６が竪枠３に当接する前に外れ、障子６が竪枠３に近接するときには制動装置は機能しないよう制動装置の取付位置やラック板の長さを定めてある。
【００２２】
上記ケース９及びガイド１１の一端側には、固定板３８が設けられ、エネルギー蓄積装置３９を該固定板３８に取り付けてある。該エネルギー蓄積装置３９は、上記クラッチカム２１が転倒可能に組み込まれた上記スライダー１２に連結され、クラッチカム２１がドッグ７に係合した状態で障子６が枠体の竪枠３から離れる方向に移動する際エネルギーを蓄積する。障子の移動の途中でクラッチカム２１が転倒してドッグ７との係合が外れた位置で蓄積したエネルギーは保持される。該障子６が枠体の竪枠３に近づく方向に移動してクラッチカム２１がドッグ７に係合すると、蓄積された上記エネルギーを消費して障子６を枠体の竪枠３方向に引き込むことができる。そして、本発明の上記エネルギー蓄積装置は、障子６の引き込み始めの段階では弱い引き込み力であり、障子６が竪枠３に近接した段階では初期の引き込み力より大きな引き込み力を生じるよう障子の移動の途中で引き込み力を変化できるように構成されている。  
【００２３】
本発明において上記エネルギー蓄積装置３９は、スパイラルロッド機構４０により構成されている。スパイラルロッド機構は、図６に示すように、筒状のケース４１と、該ケース４１の先端側に回転可能に設けられスリットを有する筒状の回転ガイド４２と、該回転ガイド４２のスリットに螺合状態で貫通するねじ部４３を有し上記ケース４１から引出可能に設けられたスパイラルロッド４４と、該スパイラルロッド４４の外周に嵌挿され一端をケース４１の基端に連結し他端を上記回転ガイド４２に連結したトーションばね４５を具備している。
【００２４】
上記スパイラルロッド機構のケース４１は、引き込み装置本体８の一端側に設けた上記固定板３８に固定され、スパイラルロッド４４に設けた先端ピン４６を上記スライダー１２の連結部１４の差込溝１３に係合してスパイラルロッド４４をスライダー１２に連結している。この構成によりスパイラルロッド４４は、回転しないが、スライダー１２とともに障子の開閉方向に直進動し、ケース４１から引き出されたり、ケース４１内に引き込まれる。したがって、クラッチカム２１がドッグ７に係合している状態ではスライダー１２はその位置で停止しているから、障子６を移動させると、ケース４１は障子６とともに移動する。換言すると、スライダー１２は、障子６の移動に伴ってケース４１に対して相対的に移動することになり、スパイラルロッド４４はケース４１から引き出されたり、ケース内に引き込まれたりすることになる。図に示す実施例では、スパイラルロッドをケースから引き出すとき、スパイラルロッド４４に螺子係合している回転ガイド４２が回転して上記トーションばね４５を巻き込むように構成している。このようにして巻き込まれたトーションばね４５が巻き戻されるときには、トーションばね４５により回転ガイド４２が逆方向に回転するので、回転ガイド４２に螺子係合しているスパイラルロッド４４は軸方向に直進動してケース内に引き込まれる。
【００２５】
本発明においては、図７に示すように、上記スパイラルロッド４４のねじ部４３は、ケースからの引き出し始め側(ケースへの引き込み終わり側)、すなわちねじ部の始端区帯４７のリードを小さく形成し、引き出し終わり側(ケースへの引き込み始め側)の終端区帯４８のリードが始端区帯４７のねじ部のリードよりも大きくなるよう途中からリードを変化させて形成してある。この構成により、引き出し始め(引き込み終わり)側では、リードが小さいので回転ガイド４２の回転によりスパイラルロッド４４に与えられるトルクは大きくなる。一方、スパイラルロッドの引き出し終わり(引き込み始め)側では、リードが大きいので、回転ガイドの回転によりスパイラルロッド４４に与えられるトルクは小さくなる。したがって、ケース４１から引き出されている上記スパイラルロッド４４を、トーションばね４５の作用で回転ガイド４２を回転してケース内に引き込む最初の段階では、リードが大きいので、スパイラルロッドを直進動させてケース内に引き込む力は小さく、障子は弱い力で引き込まれる。上記スパイラルロッド４４をケース４１に引き込む終わりの段階では、リードが小さいのでスパイラルロッド４４を直進動させてケース内に引き込む力が最初の段階よりも大きくなり、障子６を大きな力で引き込むことができる。
【００２６】
以上の構成による本発明の引き込み装置の作用を図８〜図１５を参照しながら説明する。図８は、障子６が閉鎖している状態を示し、この状態では障子６は竪枠３に当接している。引き込み装置本体８のクラッチカム２１は起立しており、ドッグ７と係合し、スパイラルロッド４４はケース４１内に引き込まれている。なお、このとき、ケース４１内に設けたトーションばね４５の巻き込み量を予めある程度余分に巻き込んでおくと、すなわち余巻きしておくと、障子を竪枠に押し付けておくことができ、この余巻きの程度を変えることにより、トーションばね４５の作用で障子６を竪枠３に押圧する力を加減することができる。
【００２７】
図８の状態から障子６を開放位置に向けて移動させると、図９、図１０に示すように、障子６が図において左行するから、ドッグ７に係合して静止しているスライダー１２およびクラッチカム２１は、障子６に対して相対的に右行することになり、スパイラルロッド４４は直進動してケース４１から次第に引き出され、ケー４１ス内のトーションばね４５は回転ガイド４２を介して次第に巻き込まれる。なお、図１０に示すように、スライダー１２の移動の途中で制動装置３０のピニオンギア３１にラック板１９のラックギア２９が噛み合うが、このときピニオンギア３１の回転は図示を省略した一方向クラッチにより制動部に伝達されないから、障子の移動に制動力が作用することはない。  
【００２８】
上記移動の途中でクラッチカム２１のカム軸２５がガイド１１の摺動面３２に形成した戻り防止溝３４に対応すると、カム軸２５は該戻り防止溝３４に入り込み、クラッチカム４１は固定軸１７を中心として回動し転倒状態になる。その結果、ドッグ７がクラッチカム２１の鉤部２２から外れ、係合状態が解除される(図１１)。
【００２９】
このようにクラッチカム２１のカム軸２５が戻り防止溝３４に入り込むと、スライダー１２及びクラッチカム２１の右行は停止し、スパイラルロッド４４はケース２１から最大長引き出され、トーションばね４５は充分に巻き込まれた状態で保持される。その後、上記障子６はドッグ７に拘束されることなく開放位置に向けて左行させることができ、開口部を開放することができる(図１２)。
【００３０】
次に、開放位置から障子を閉める場合につき説明する。図１２に示す状態から、障子６を竪枠３に近づく方向に右行させる。このとき、上記クラッチカム２１は転倒状態であり、スパイラルロッド４４はケース４１から引き出された状態に保持されている。そして、障子６が右行してクラッチカム２１の爪片２３にドッグ７の先端が当接すると、クラッチカム２１は起立状態に回転してドッグ７はクラッチカム２１の鉤部２２に係合する(図１３)。この状態になると、クラッチカム２１及びスライダー１２は障子６に対して相対的に左行することが可能となる。換言すると、クラッチカム２１はドッグ７と係合することによりドッグ７の位置に静止(拘束)されるから、スパイラルロッド４４はトーションばね４５が巻き戻されることにより回転ガイド４２を介して直進動してケース４１内に引き込まれ、これにより障子はスパイラルロッドをケース内に引き込む力により右行する(図１４)。このとき、スパイラルロッド４４は最大限引き出された状態からケース４１内に引き込まれるが、この引き込み側、すなわちケース４１からスパイラルロッド４４を引き出したときの終端区帯４８のねじ部のリードは、始端区帯４７よりも大きなリードに形成されているから、スパイラルロッド４４を引き込む力は弱く、障子６はゆっくり移動する。そして、ラック板１９のラックギア２９が制動装置３０のピニオンギア３１に噛み合うと、制動装置３０の制動部に回転が伝達され、障子６の移動は制動され、急激に障子が移動しないようにできる。
【００３１】
さらに障子６が右行すると、ラック板１９のラックギア２９と制動装置３０のピニオンギア３１の噛み合いは外れ、制動力が解除される。そして、障子６は上記スパイラルロッド４４による引き込み力により図１５に示すように、竪枠３側に移動するが、この部分、すなわち引き込み終端側、換言するとケースからの引き出し始め側のスパイラルロッド４４のねじ部のリードは、ケースからのスパイラルロッドの引き出し終わり側のリードより小さく形成されているから、回転ガイド４２の回転によりスパイラルロッド４４をケース４１内に引き込む力は大きくなり、障子６は竪枠３側に強く引き込まれ、障子６は図８に示すように、竪枠３に密着する。
【００３２】
上記実施例は制動装置を設けた場合であるが、本発明は制動装置を設けないこともできる。この場合、ガイドにはスライダーの摺動面３２と戻り防止用溝３４があればよく、その他の構成は上記実施例とほぼ同様に構成すればよい(図１６参照)。図１７〜図２４は、上記図８〜図１５にほぼ対応しているので、簡単に説明すると、図１７から図２０は、障子を閉鎖位置から開放位置に向け移動する場合であり、この工程でスパイラルロッド４４をケース４１から引き出してトーションばね４５を巻き込んでエネルギーを蓄積する。
【００３３】
そして、図２１から図２４に示すように、障子を閉鎖位置に移動する際は、クラッチカム２１がドッグ７に係合した段階からトーションばね４５が巻き戻されて該トーションばねに蓄積したエネルギーが消費され、障子６は竪枠３側に引き込まれる。この際、スパイラルロッド４４のねじ部４３のリードを途中で変えることにより最初の段階で障子６を引き込む力を弱くし、竪枠３に当接する段階では大きな引き込み力を与えて、障子６を竪枠３に密着できるようにしてある。
【符号の説明】
【００３４】
１    枠体
３    竪枠
６    障子
７    ドッグ
８    引き込み装置本体
１１  ガイド
１２  スライダー
１９  ラック板
２１  クラッチカム
２２  鉤部
２５  カム軸
２９  ラックギア
３０  制動装置
３１  ピニオンギア
３４  戻り防止溝
３９  エネルギー蓄積装置
４０  スパイラルロッド機構
４１  ケース
４２  回転ガイド
４３  ねじ部
４４  スパイラルロッド
４５  トーションばね
４７  始端区帯
４８  終端区帯  
【図１】
2014201976.tif 000003
【図２】
2014201976.tif 000004
【図３】
2014201976.tif 000005
【図４】
2014201976.tif 000006
【図５】
2014201976.tif 000007
【図６】
2014201976.tif 000008
【図７】
2014201976.tif 000009
【図８】
2014201976.tif 000010
【図９】
2014201976.tif 000011
【図１０】
2014201976.tif 000012
【図１１】
2014201976.tif 000013
【図１２】
2014201976.tif 000014
【図１３】
2014201976.tif 000015
【図１４】
2014201976.tif 000016
【図１５】
2014201976.tif 000017
【図１６】
2014201976.tif 000018
【図１７】
2014201976.tif 000019
【図１８】
2014201976.tif 000020
【図１９】
2014201976.tif 000021
【図２０】
2014201976.tif 000022
【図２１】
2014201976.tif 000023
【図２２】
2014201976.tif 000024
【図２３】
2014201976.tif 000025
【図２４】
2014201976.tif 000026